(57)【要約】【課題】無線通信部間の干渉を抑制する。【解決手段】中継装置３は、ＴＤＤ方式で無線通信するＴＤＤ方式部４と、無線ＬＡＮ部５を備えている。ＴＤＤ方式部４は、送信区間と受信区間を交互に繰り返すことにより時間軸を分割し、基地局２と通信することができる。ＴＤＤ方式部４は、例えば、アンテナスイッチなどの送受信切替部１３に対する制御信号を無線ＬＡＮ部５に通知することにより、自己が何れの区間であるかを無線ＬＡＮ部５に通知する。無線ＬＡＮ部５は、この通知により、ＴＤＤ方式部４が受信区間であると確認すると、端末６への送信動作を禁止し、端末６へのデータ送信を行わないようにする。そして、無線ＬＡＮ部５は、端末６へのデータ送信を、ＴＤＤ方式部４が送信区間に切り替わるまで待つ。【選択図】図１
2009033409.tif 000002
【特許請求の範囲】
【請求項１】
１の無線装置と、他の無線装置と、無線通信する無線通信装置であって、
時間分割によって送信と受信を切り替えることにより、前記１の無線装置と無線信号を送受信する第１の無線送受信手段と、
前記他の無線装置と無線信号を送受信する第２の無線送受信手段と、
前記第１の無線送受信手段が無線信号を受信している間、前記第２の無線送受信手段の送信を禁止する禁止手段と、
を具備したことを特徴とする無線通信装置。
【請求項２】
前記第１の無線送受信手段は、前記第２の無線送受信手段の送受信状態に関わらず送受信可能であり、前記第２の無線送受信手段は、前記第１の無線送受信手段が送信している間は送受信可能であることを特徴とする請求項１に記載の無線通信装置。
【請求項３】
前記第１の無線送受信手段は、任意の前記１の無線装置に対して通信回線を確立して接続し、
前記第２の無線送受信手段は、予め接続設定が成されている前記他の無線装置と接続することを特徴とする請求項１、又は請求項２に記載の無線通信装置。
【請求項４】
前記１の無線装置は、携帯電話網の基地局であり、前記他の無線装置は、端末であることを特徴とする請求項１、請求項２、又は請求項３に記載の無線通信装置。
【請求項５】
前記接続した１の無線装置と前記接続した他の無線装置の通信を中継する中継手段を具備したことを特徴とする請求項１から請求項４までのうちの何れか１の請求項に記載の無線通信装置。
【請求項６】
前記第１の無線送受信手段が無線信号を受信していることを検知する検知手段を具備し、
前記禁止手段は、前記検知手段の検知結果によって、前記第１の無線送受信手段が無線信号を受信している間か否かを判断することを特徴とする請求項１から請求項５までのうちの何れか１の請求項に記載の無線通信装置。
【請求項７】
前記第１の無線送受信手段の送信区間の長さと受信区間の長さを記憶する区間記憶手段を具備し、
禁止手段は、前記記憶した送信区間の長さと受信区間の長さを用いて、前記第２の無線送受信手段が無線信号を受信する区間を予測することにより、前記第１の無線送受信手段が無線信号を受信している間か否かを判断することを特徴とする請求項１から請求項５までのうちの何れか１の請求項に記載の無線通信装置。
【請求項８】
前記区間記憶手段は、前記１の無線装置から、送信区間の長さと受信区間の長さを受信して記憶することを特徴とする請求項７に記載の無線通信装置。
【発明の詳細な説明】
【技術分野】
【０００１】
本発明は、無線通信装置に関し、例えば、複数の無線通信部を備えた無線通信装置において、無線信号の干渉を抑制するものに関する。
【背景技術】
【０００２】
無線通信は、有線通信のように、送受信装置間で配線を行う必要がないため、例えば、携帯電話や無線ＬＡＮ（Ｌｏｃａｌ  Ａｒｅａ  Ｎｅｔｗｏｒｋ）など、各方面にて広く用いられるようになってきた。
このような無線通信を行う無線通信装置には、複数の無線通信部を備えて同時に送受信を行うことができ、これら無線通信部のうち少なくとも１つは、送信と受信を時分割で切り替えて送受信を行う方式、例えば、ＴＤＤ方式（Ｔｉｍｅ  Ｄｉｖｉｓｉｏｎ  Ｄｕｐｌｅｘ：時分割複信）の通信を行うものがある。
【０００３】
このような無線通信装置では、無線通信部間の干渉を防ぐために、フィルタを用いて他方の周波数帯を遮断する方法が一般的に行われている。
また、次の特許文献１のように、干渉を防止する手段として、１つの無線通信部が送信中の場合は、他の無線通信部の送信を禁止する構成のものが知られている。
【特許文献１】特開２００１−２５７６２１公報
【発明の開示】
【発明が解決しようとする課題】
【０００４】
しかし、周波数帯が近傍である場合にはフィルタの特性上干渉を十分に防ぐことが困難な場合があった。
また、アンテナ間の距離を離すことによって干渉を防ぐ方法も行われているが、小型の機器においては十分な距離が確保できず、干渉を十分に防ぐことが困難だった。
【０００５】
そこで、本発明は、無線通信部間の干渉を抑制することを目的とする。
【課題を解決するための手段】
【０００６】
前記目的を達成するために、請求項１に記載の発明では、１の無線装置と、他の無線装置と、無線通信する無線通信装置であって、時間分割によって送信と受信を切り替えることにより、前記１の無線装置と無線信号を送受信する第１の無線送受信手段と、前記他の無線装置と無線信号を送受信する第２の無線送受信手段と、前記第１の無線送受信手段が無線信号を受信している間、前記第２の無線送受信手段の送信を禁止する禁止手段と、を具備したことを特徴とする無線通信装置を提供する。
請求項２に記載の発明では、前記第１の無線送受信手段は、前記第２の無線送受信手段の送受信状態に関わらず送受信可能であり、前記第２の無線送受信手段は、前記第１の無線送受信手段が送信している間は送受信可能であることを特徴とする請求項１に記載の無線通信装置を提供する。
請求項３に記載の発明では、前記第１の無線送受信手段は、任意の前記１の無線装置に対して通信回線を確立して接続し、前記第２の無線送受信手段は、予め接続設定が成されている前記他の無線装置と接続することを特徴とする請求項１、又は請求項２に記載の無線通信装置を提供する。
請求項４に記載の発明では、前記１の無線装置は、携帯電話網の基地局であり、前記他の無線装置は、端末であることを特徴とする請求項１、請求項２、又は請求項３に記載の無線通信装置を提供する。
請求項５に記載の発明では、前記接続した１の無線装置と前記接続した他の無線装置の通信を中継する中継手段を具備したことを特徴とする請求項１から請求項４までのうちの何れか１の請求項に記載の無線通信装置を提供する。
請求項６に記載の発明では、前記第１の無線送受信手段が無線信号を受信していることを検知する検知手段を具備し、前記禁止手段は、前記検知手段の検知結果によって、前記第１の無線送受信手段が無線信号を受信している間か否かを判断することを特徴とする請求項１から請求項５までのうちの何れか１の請求項に記載の無線通信装置を提供する。
請求項７に記載の発明では、前記第１の無線送受信手段の送信区間の長さと受信区間の長さを記憶する区間記憶手段を具備し、禁止手段は、前記記憶した送信区間の長さと受信区間の長さを用いて、前記第２の無線送受信手段が無線信号を受信する区間を予測することにより、前記第１の無線送受信手段が無線信号を受信している間か否かを判断することを特徴とする請求項１から請求項５までのうちの何れか１の請求項に記載の無線通信装置を提供する。
請求項８に記載の発明では、前記区間記憶手段は、前記１の無線装置から、送信区間の長さと受信区間の長さを受信して記憶することを特徴とする請求項７に記載の無線通信装置を提供する。
【発明の効果】
【０００７】
本発明によれば、無線送信を所定期間禁止することにより、無線通信部間の干渉を抑制することができる。
【発明を実施するための最良の形態】
【０００８】
（１）実施の形態の概要
中継装置３（図１）は、ＴＤＤ方式で無線通信するＴＤＤ方式部４と、無線ＬＡＮ部５を備えている。
ＴＤＤ方式部４は、送信区間と受信区間を交互に繰り返すことにより時間軸を分割し、基地局２と通信することができる。
ＴＤＤ方式部４は、例えば、アンテナスイッチなどの送受信切替部に対する制御信号を無線ＬＡＮ部５に通知することにより、自己が何れの区間であるかを無線ＬＡＮ部５に通知する。
【０００９】
無線ＬＡＮ部５は、この通知により、ＴＤＤ方式部４が受信区間であると確認すると、端末６への送信動作を禁止し、端末６へのデータ送信を行わないようにする。
そして、無線ＬＡＮ部５は、端末６へのデータ送信を、ＴＤＤ方式部４が送信区間に切り替わるまで待つ。
このように、ＴＤＤ方式部４が基地局２からデータを受信している間に、無線ＬＡＮ部５の送信動作を行わないことにより、無線ＬＡＮ部５の電波がＴＤＤ方式部４の受信処理に干渉することを防ぐことができる。
【００１０】
また、第２の実施の形態では、無線ＬＡＮ部５は、予めＴＤＤ方式部４の送受信区間の長さを記憶しており、ＴＤＤ方式部４の送受信を切り替える制御信号と送受信区間の長さからＴＤＤ方式部４の受信区間を予測する。
そして、無線ＬＡＮ部５は、当該予測した受信区間の開始タイミングより、自らのデータ送信に要する時間分だけ前に自らの送信開始動作を禁止する。これにより、無線ＬＡＮ部５は、ＴＤＤ方式部４が受信区間となる前に確実に送信動作を終了することができる。
【００１１】
即ち、無線ＬＡＮ部５は、ＴＤＤ方式部４の制御信号によりＴＤＤ方式部４の受信区間の終わりを検知し、その時点から、ＴＤＤ方式部４の送信区間が終了する時点より自らの送信時間を引いた時点までを送信可能区間として設定し、それ以降からＴＤＤ方式部４の受信区間の終わりまでは送信禁止区間とする。
【００１２】
（２）実施の形態の詳細
（第１の実施の形態）
図１は、第１の実施の形態に係る無線システムの構成例を示した図である。
無線システム１は、基地局２、中継装置３、端末６、６、６・・・（以下、端末６）を用いて構成されている。
基地局２は、携帯電話網の基地局であり、中継装置３や図示しない携帯電話などからの接続要求を受けて、これらを携帯電話網に接続する。
更に、携帯電話網は、インターネットに接続しており、中継装置３を介して基地局２に接続した端末６は、携帯電話網からインターネットに接続することができる。
【００１３】
中継装置３は、基地局２と無線通信を行うＴＤＤ方式部４と、端末６と無線通信を行う無線ＬＡＮ部５の２つの無線通信部を備えており、端末６と基地局２の通信を仲介する。
中継装置３は、例えば、端末６のユーザの自宅に据え置き型で設置されたり、あるいは、携帯可能な程度に小型化して、ユーザが端末６と共に出先に携帯して使用したりする。
なお、中継装置３は、ＴＤＤ方式部４に対する他の無線通信部として無線ＬＡＮ部５を備えるが、これは、一例であって、他の通信方式を用いるものであってもよい。
【００１４】
中継装置３は、基地局２に対してはＴＤＤ方式にて通信し、端末６に対しては、無線ＬＡＮにより複数の端末６と通信することができる。
【００１５】
ここで、ＴＤＤ方式とは、無線通信で同時に送受信を行うための方式の１つで、通信回線を時間軸で細かく分割し、同じ周波数で送信と受信を切り替えるものである。
更に、第１の実施の形態では、ＴＤＤ方式のうち、特にＴＤＤ−ＣＤＭＡ（Ｃｏｄｅ  Ｄｉｖｉｓｉｏｎ  Ｍｕｌｔｉｐｌｅ  Ａｃｃｅｓｓ：符号分割多重接続）方式を用い、これによって複数の端末６との接続を可能としている。
【００１６】
ＣＤＭＡ方式とは、複数の発信者の無線信号にそれぞれ異なる符号を乗算し、すべての無線信号を合成して１つの周波数を使って送受信するものである。
発信者は符号によって識別することができるため、受信者は、これによって所望の無線信号を抽出することができる。
【００１７】
端末６は、例えば、パーソナルコンピュータなどで構成されたユーザ端末であって、所謂デスクトップ型と称される据え置き型のものや、ノート型と称される携帯可能なものなどがある。
端末６は、中継装置３を介して基地局２に接続し、携帯電話網を介してインターネットに接続することができる。
【００１８】
以上に説明した無線システム１において、基地局２は１の無線装置として機能し、端末６は他の無線装置として機能し、中継装置３は、これらと無線通信する無線通信装置として機能している。
また、中継装置３は、ＴＤＤ方式部４で接続した１の無線装置（基地局２）と無線ＬＡＮ部５で接続した他の無線装置（端末６）の通信を中継する中継手段を備えている。
【００１９】
図２は、中継装置３の構成を示したブロック図である。
ＴＤＤ方式部４は、基地局２と通信するための機能部であり、データインターフェース部１５、制御部１０、送信部１１、受信部１２、及び送受信切替部１３などを備えている。
ＴＤＤ方式部４は、時間分割（ＴＤＤ方式）によって送信と受信を切り替えることにより、１の無線装置（基地局２）と無線信号を送受信する第１の無線送受信手段として機能している。
【００２０】
データインターフェース部１５は、データを無線ＬＡＮとＴＤＤ方式の間で変換したりなどのデータ処理を行う。
送受信切替部１３は、例えば、アンテナスイッチであって、送信状態と受信状態を備えており、制御部１０からの制御信号により送信状態と受信状態が切り替え可能となっている。
送受信切替部１３は、基地局２と無線通信するためのアンテナを有しており、送信状態では、送信部１１が出力した無線信号を基地局２に送信し、受信状態では、基地局２が送信してきた無線信号を受信して受信部１２に出力する。
【００２１】
送信部１１は、基地局２に送信するデータを制御部１０から得て無線信号に変換し、これを送受信切替部１３に出力する機能部である。
受信部１２は、基地局２が送信してきた無線信号を送受信切替部１３から得てこれをデータに変換し、制御部１０に出力する機能部である。
【００２２】
制御部１０は、ＴＤＤ方式部４のデータ送受信を制御する機能部である。
制御部１０は、制御ライン１４を介して送受信切替部１３に制御信号を送ることにより送受信切替部１３の状態を切り替えることができる。
そして、制御部１０は、データを基地局２に送信する送信区間（送信期間）では、送受信切替部１３を送信状態にすると共に、送信部１１にデータを無線信号に変換させて送受信切替部１３から基地局２に送信させ、基地局２からデータを受信する受信区間（受信期間）では、送受信切替部１３を受信状態にすると共に、送受信切替部１３が基地局２から受信した無線信号を受信部１２にデータ変換させて、これを取得する。
【００２３】
ＴＤＤ方式部４は、時間軸を上記の送信区間と受信区間に交互に分割し、送信区間において基地局２に対する送信動作を行い、受信区間において基地局２からの受信動作を行うことにより、基地局２と無線通信をすることができる。
【００２４】
無線ＬＡＮ部５は、端末６と通信するための機能部であり、データインターフェース部２５、制御部２０、送受信区間検知部２６、送信部２１、受信部２２、及び送受信切替部２３などを備えている。また、制御部２０には送信禁止制御部２７が形成されている。
無線ＬＡＮ部５は、他の無線装置（端末６）と無線信号を送受信する第２の無線送受信手段として機能している。
これら、データインターフェース部２５、制御部２０、送信部２１、受信部２２、送受信切替部２３の機能は、それぞれＴＤＤ方式部４のデータインターフェース部１５、制御部１０、送信部１１、受信部１２、送受信切替部１３と基本的に同様である。
【００２５】
即ち、データインターフェース部２５は、データを無線ＬＡＮとＴＤＤ方式の間で変換したりなどし、制御部２０は、制御信号により送受信切替部２３の動作状態を切り替えることができ、端末６にデータを送信する場合は、送信部２１にデータを無線信号に変換させて送受信切替部２３から端末６に送信し、端末６からデータを受信する場合は、送受信切替部２３に端末６からの無線信号を受信させて、これを受信部２２にデータ変換させる。
このように、無線ＬＡＮ部５は、送信動作と受信動作を切り替えながら端末６と無線通信をすることができる。
【００２６】
送受信区間検知部２６は、制御ライン１４に接続する監視ライン２４を備えており、これによって、制御部１０の送受信切替信号を監視している。
送受信区間検知部２６は、この監視動作によって、ＴＤＤ方式部４が送信区間であるのか、あるいは、受信区間であるのかを検知し、そして判断する。
そして、送受信区間検知部２６は、判断結果を監視結果として送信禁止制御部２７に出力するようになっている。
【００２７】
送信禁止制御部２７は、送受信区間検知部２６から監視結果を受信し、これによってＴＤＤ方式部４が受信区間であるか否かを検知する。
そして、送信禁止制御部２７は、ＴＤＤ方式部４が受信区間であることを検知すると、制御部２０に端末６へのデータ送信を禁止させ、端末６へのデータ送信を行わないようにする。
これによって、制御部２０は、ＴＤＤ方式部４が基地局２からデータを受信している間は、データ送信を停止することができ、無線ＬＡＮ部５のデータ送信がＴＤＤ方式部４のデータ受信に干渉するのを防ぐことができる。
【００２８】
このように、中継装置３は、第１の無線送受信手段（ＴＤＤ方式部４）が無線信号を受信している間、第２の無線送受信手段（無線ＬＡＮ部５）の送信を禁止する禁止手段（送信禁止制御部２７）を備えている。
また、中継装置３は、監視ライン２４により、第１の無線送受信手段（ＴＤＤ方式部４）が無線信号を受信していることを検知する検知手段（送受信区間検知部２６）を備えており、上記の禁止手段は、当該検知手段の検知結果によって、第１の無線送受信手段（ＴＤＤ方式部４）が無線信号を受信している間か否かを判断している。
【００２９】
一方、ＴＤＤ方式部４が送信区間である場合、無線ＬＡＮ部５は、何らの禁止を行うこともなく、端末６とのデータの送受信を行うことができる。
また、ＴＤＤ方式部４が受信区間であっても、無線ＬＡＮ部５は、端末６からデータを受信することができる。
即ち、ＴＤＤ方式部４と無線ＬＡＮ部５の送受信の組合せは、（ＴＤＤ方式部４の区間、無線ＬＡＮ部５の区間）として、（受信、受信）、（受信、送信）、（送信、受信）、（送信、送信）の４つがあるが、中継装置３は、（受信、送信）を禁止し、他の組合せに関しては特に禁止しない。
【００３０】
以上のように、ＴＤＤ方式部４が基地局２からデータを受信している間に、無線ＬＡＮ部５の送信動作を禁止し、他の場合は、特に禁止をしないのは、以下の理由による。
即ち、ＴＤＤ方式部４が受信動作を行っているときに、無線ＬＡＮ部５の送信動作を行うと、電波干渉によって、ＴＤＤ方式部４と基地局２の通信回線が途切れる可能性があり、この場合、方式上の理由から再度通信回線を確立するのが困難である。
【００３１】
これに対し、無線ＬＡＮ部５の場合は、通信回線が途切れたとしても容易に復旧できるため、無線ＬＡＮ部５が受信動作を行っている間にＴＤＤ方式部４が送信動作を行っても実用上問題がないためである。
また、発明者による実験によっても、ＴＤＤ方式部４が受信している間に無線ＬＡＮ部５の送信を禁止する以外は、特に禁止を行わなくても実用上問題がないことが確かめられている。
【００３２】
なお、無線ＬＡＮ部５が端末６への送信動作を禁止されている間に、無線ＬＡＮ部５が端末６に送信する筈だったデータは、例えば、中継装置３の一時記憶装置に記憶（バッファリング）しておき、禁止が解除された際に送信したり、あるいは、送信元のサーバに再送を依頼して再度送信してもらったりする。
【００３３】
このように、第１の無線送受信手段（ＴＤＤ方式部４）は、第２の無線送受信手段（無線ＬＡＮ部５）の送受信状態に関わらず送受信可能であり、第２の無線送受信手段（無線ＬＡＮ部５）は、第１の無線送受信手段（ＴＤＤ方式部４）が送信している間は送受信可能である。
【００３４】
また、ＴＤＤ方式部４は、各通信エリアごとに存在する基地局２のうち、最寄りの基地局２に対して接続するため、第１の無線送受信手段（ＴＤＤ方式部４）は、任意の前記１の無線装置（基地局２）に対して通信回線を確立して接続することになる。
また、無線ＬＡＮ部５は、ユーザなどが行った接続設定に基づいて端末６に接続する。このため、第２の無線送受信手段（無線ＬＡＮ部５）は、予め接続設定が成されている他の無線装置（端末６）と接続することになる。
【００３５】
図３は、ＴＤＤ方式部４と無線ＬＡＮ部５の動作タイミングを説明するための図である。
図３に示したように、ＴＤＤ方式部４は、所定時間ごとに送信区間と受信区間を交互に繰り返す。
そして、ＴＤＤ方式部４は、送信区間において基地局２へのデータの送信を行い、受信区間において基地局２からのデータの受信を行う。
【００３６】
一方、無線ＬＡＮ部５は、監視ライン２４による監視結果により、ＴＤＤ方式部４が送信区間であることを検知した場合は、送受信可能区間となり、端末６へのデータの送信と受信が可能である。
そして、無線ＬＡＮ部５は、監視ライン２４による監視結果により、ＴＤＤ方式部４が受信区間であることを検知した場合は（タイミングｔ１）、ＴＤＤ方式部４が送信区間に切り替えられるまで（タイミングｔ２）、端末６へのデータの送信を禁止する。なお、送信禁止区間では、端末６からのデータの受信は行うことができる。
【００３７】
図４は、中継装置３の送受信動作を説明するためのフローチャートである。
中継装置３が動作を開始すると、ＴＤＤ方式部４は通信を開始する（ステップ５）。
一方、無線ＬＡＮ部５は、中継装置３が動作を開始すると、通信を開始し（ステップ３０）、送受信可能区間を開始する（ステップ３５）。
【００３８】
そして、ＴＤＤ方式部４は、所定時間が経過すると（ステップ１０）、受信区間を開始する（ステップ１５）。
このとき、無線ＬＡＮ部５では、送受信区間検知部２６がＴＤＤ方式部４が受信区間を開始したことを検知し（ステップ４０）、送信禁止制御部２７が制御部２０の送信を禁止して送信禁止区間を開始する（ステップ４５）。
【００３９】
ＴＤＤ方式部４は、受信区間を開始してから所定時間が経過すると（ステップ２０）、送信区間を開始し（ステップ２５）、ステップ１０に戻る。
このとき、無線ＬＡＮ部５では、送受信区間検知部２６によってＴＤＤ方式部４が送信区間を開始したことを検知し（ステップ５０）、送信禁止制御部２７が制御部２０の送信禁止を解除してステップ３５に戻る。
以下、ＴＤＤ方式部４は、ステップ１０〜ステップ２５を繰り返し、無線ＬＡＮ部５は、ステップ３５〜ステップ５０を繰り返す。
【００４０】
以上に説明したように、中継装置３は、１の無線装置（基地局２）と、他の無線装置（端末６）と、無線通信する無線通信装置であって、時間分割によって送信と受信を切り替えることにより、前記１の無線装置と無線信号を送受信する第１の無線送受信手段（ＴＤＤ方式部４）と、前記他の無線装置と無線信号を送受信する第２の無線送受信手段（無線ＬＡＮ部５）と、前記第１の無線送受信手段が無線信号を受信している間、前記第２の無線送受信手段の送信を禁止する禁止手段（送信禁止制御部２７）と、を具備したことを特徴とする無線通信装置として機能している。
また、第１の無線送受信手段（ＴＤＤ方式部４）は、第２の無線送受信手段（無線ＬＡＮ部５の送受信状態に関わらず送受信可能であり、第２の無線送受信手段（無線ＬＡＮ部５）は、第１の無線送受信手段（無線システム１）が送信している間は送受信可能である。
【００４１】
以上に説明した第１の実施の形態により、次のような効果を得ることができる。
（１）中継装置３は、基地局２からデータを受信している間、これを検知して、端末６への送信動作を禁止することができる。
（２）中継装置３は、基地局２からデータを受信している間、端末６への送信動作を禁止するため、端末６へ送信する電波がＴＤＤ方式部４の受信動作に影響するのを防ぐことができる。このため、ＴＤＤ方式部４の干渉による受信感度の劣化を防ぐことができる。
【００４２】
（３）中継装置３と基地局２との間の無線回線の切断を抑制することができ、端末６と基地局２間の通信を安定させることができる。
（４）高価なフィルタを用いなくてもよいため、コストが抑えられる。
（５）小型化によってＴＤＤ方式部４と無線ＬＡＮ部５のアンテナが近接する場合でも、電波干渉を抑制することができる。
【００４３】
（第２の実施の形態）
次に、第２の実施の形態について説明する。
第１の実施の形態では、無線ＬＡＮ部５は、ＴＤＤ方式部４が受信区間であることを検知して端末６への送信動作を禁止したが、第２の実施の形態では、無線ＬＡＮ部５が、ＴＤＤ方式部４が基地局２からデータを受信する区間を予め予測し、ＴＤＤ方式部４の受信動作が開始する以前に、端末６への送信動作を終了させるものである。
【００４４】
図５は、第２の実施の形態に係る中継装置３の構成を示したブロック図である。
中継装置３は、無線ＬＡＮ部５に、受信区間予測部３１と、送受信時間記憶部３２を備えたほかは、基本的に第１の実施の形態の中継装置３と同様である。
そのため、第１の実施の形態の中継装置３に対応する機能部には同じ符号を付し、説明を省略、あるいは簡略化することにする。
【００４５】
無線ＬＡＮ部５は、受信区間予測部３１と送受信時間記憶部３２を備えている。
送受信時間記憶部３２は、例えば、不揮発性メモリなどの記憶装置によって構成されており、ＴＤＤ方式部４の受信区間の長さと送信区間の長さを記憶している。
なお、第２の実施の形態では、予め記憶装置に受信区間の長さと送信区間の長さを記憶したが、基地局２のシステム構成によっては、これらの長さが基地局２から指定される場合もある。
【００４６】
この場合、中継装置３は、基地局２との通信開始時にこれらの長さを基地局２から受信し、記憶装置に記憶するようにする。
このように、送受信時間記憶部３２は、第１の無線送受信手段（ＴＤＤ方式部４）の送信区間の長さと受信区間の長さを記憶する区間記憶手段として機能している。
また、基地局２から区間の長さを受信して記憶する場合、区間記憶手段（送受信時間記憶部３２）は、１の無線装置（基地局２）から、送信区間の長さと受信区間の長さを受信して記憶することになる。
【００４７】
受信区間予測部３１は、送受信時間記憶部３２から送信区間と受信区間の長さを読み出すと共に、送受信区間検知部２６から、ＴＤＤ方式部４が送信区間であるのか、あるいは、受信区間であるのかの監視結果を得ることにより、送受信切替部１３の制御信号を監視している。
そして、受信区間予測部３１は、これら送信区間の長さ、受信区間の長さ、及び監視結果を用いて、ＴＤＤ方式部４の受信区間を予測し（即ち、受信区間が開始するタイミングと終了するタイミングを予測し）、その予測結果を制御部２０の送信禁止制御部２７に出力する。
【００４８】
送信禁止制御部２７は、受信区間予測部３１の予測結果から、ＴＤＤ方式部４が受信区間を開始するタイミングと終了するタイミングを取得し、開始タイミングまでに端末６への送信動作が完了するように、制御部２０のデータの送信の開始を許可すると共に、終了タイミングまでは送信動作を禁止する。
このため、無線ＬＡＮ部５は、ＴＤＤ方式部４が受信動作を開始する前に、確実に送信動作を終了することができると共に、ＴＤＤ方式部４が受信動作を終了するまで送信動作を行わないようにすることができる。
【００４９】
図６は、無線ＬＡＮ部５が行う予測処理を説明するための図である。
ＴＤＤ方式部４の送信区間の長さをＴ１、受信区間の長さをＴ２とし、ＴＤＤ方式部４は、送信区間と受信区間を交互に繰り返している。
そして、無線ＬＡＮ部５の送受信時間記憶部３２（図５）は、Ｔ１、Ｔ２を記憶しており、受信区間予測部３１は、これを用いて次のようにしてＴＤＤ方式部４の受信区間を予測する。
【００５０】
まず、受信区間予測部３１は、送受信区間検知部２６の監視結果により送信区間の開始（受信区間の終了でもある）をタイミングｔ０で検知すると、送受信時間記憶部３２からＴ１を読み出し、ｔ２＝ｔ０＋Ｔ１を計算して受信区間の開始タイミングｔ２を予測し、更に、ｔ３＝ｔ２＋Ｔ２を計算して受信区間の終了タイミングｔ３を予測する。
このようにして、受信区間予測部３１は、ＴＤＤ方式部４の受信区間が開始する前に、受信区間が開始するタイミングｔ２と終了するタイミングｔ３を予測することができる。
なお、本実施の形態では、ｔ３を予測により取得したが、送受信区間検知部２６が監視ライン２４を監視することにより、ＴＤＤ方式部４が受信区間に切り替わったことを検知してｔ３を取得してもよい。
【００５１】
そして、無線ＬＡＮ部５の送信禁止制御部２７は、受信区間予測部３１からｔ２、ｔ３を取得し、次のようにして、送信開始禁止区間を設定する。
まず、送信禁止制御部２７は、端末６にデータを送信するのに要する送信時間Ｔｓを計算する。これは、端末６に送信するデータ量やスループットなどから計算することができる。
そして、送信禁止制御部２７は、ｔ１＝ｔ２−Ｔｓを計算し、ｔ１からｔ３までの区間を送信開始禁止区間とし、端末６に対する送信動作の開始を禁止する。
【００５２】
このように送信開始禁止区間を設けて、少なくともｔ１以前に送信を開始すれば、送信時間がＴｓであるため、ＴＤＤ方式部４が受信動作を開始する前に、送信動作を終了することができる。
また、ＴＤＤ方式部４が受信区間の間、無線ＬＡＮ部５は、端末６にデータの送信を開始することが禁止されているため、ＴＤＤ方式部４が基地局２からデータを受信している間に無線ＬＡＮ部５が送信を開始することもない。
【００５３】
以上のように、無線ＬＡＮ部５が備える禁止手段は、送受信時間記憶部３２に記憶した送信区間の長さと受信区間の長さを用いて、第２の無線送受信手段（無線ＬＡＮ部５）が無線信号を受信する区間を予測することにより、第１の無線送受信手段（基地局２）が無線信号を受信している間か否かを判断する。
【００５４】
図７は、無線ＬＡＮ部５が行う予測処理を説明するためのフローチャートである。
まず、無線ＬＡＮ部５の受信区間予測部３１は、送受信時間記憶部３２からＴ１、Ｔ２を読み出す（ステップ５０）。
次に、受信区間予測部３１は、送受信区間検知部２６の監視結果よりＴＤＤ方式部４の送信区間の開始を検知する（ステップ５５）。
すると、受信区間予測部３１は、ｔ２、ｔ３を計算してＴＤＤ方式部４の受信区間を計算により予測する（ステップ６０）。
次に、無線ＬＡＮ部５の送信禁止制御部２７が、Ｔｓを計算し、更に受信区間予測部３１が計算したｔ２からｔ１＝ｔ２−Ｔｓを計算し、ｔ１からｔ３までを送信開始禁止区間に設定する（ステップ６５）。
【００５５】
第１の実施の形態では、無線ＬＡＮ部５は、ＴＤＤ方式部４が受信動作を開始したことを検知してデータの送信を禁止したため、ＴＤＤ方式部４の送信区間開始直後まで端末６への送信動作がずれ込むこともあり得るが、第２の実施の形態では、無線ＬＡＮ部５は、ＴＤＤ方式部４の受信区間が開始する前に、確実に送信動作を終了することができる。
このように、第２の実施の形態では、受信区間を予測することにより、無線ＬＡＮ部５の送信中にＴＤＤ方式部４が受信区間になることがなく、確実にＴＤＤ方式部４の受信感度の劣化を防ぐことができる。
【００５６】
以上、第１の実施の形態、及び第２の実施の形態について説明したが、これらは一例であって、各種の変形が可能である。
例えば、ＴＤＤ方式部４は、ＴＤＤ−ＣＤＭＡ方式としたが、これに限定するものではなくＴＤＤ方式であればよい。
【００５７】
また、中継装置３は、ＴＤＤ方式部４を単数備えたものとして説明したが、中継装置３がＴＤＤ方式部４を複数備えるように構成することも可能である。
この場合、何れかのＴＤＤ方式部４が受信動作を行っている間、中継装置３は、他のＴＤＤ方式部４、及び無線ＬＡＮ部５の送信動作を禁止する。
【００５８】
更に、第１の実施の形態、及び第２の実施の形態では、第１の無線通信手段と、第２の無線通信手段を備える無線通信装置の例として中継装置３を用いたが、中継装置でなくてもよい。
例えば、第１の無線通信手段を基地局２との接続用とし、第２の無線通信手段を、何らかの装置を遠隔操作するためのリモートコントロール装置とすることもできる。
【００５９】
（第３の実施の形態）
図８は、第３の実施の形態に係る中継装置３の構成を示したブロック図である。
第３の実施の形態に係る中継装置３では、送信部１１と受信部１２が、それぞれ送信アンテナ１８と受信アンテナ１９を備えている。
そして、制御部１０は、送受信部制御ライン１７によって、送信部１１と受信部１２に制御信号を送信し、送信部１１と受信部１２を選択的に駆動する。
このため、第３の実施の形態に係る中継装置３は、第１の実施の形態や第２の実施の形態に係る中継装置３のように送受信切替部１３を備える必要はない。
【００６０】
第３の実施の形態では、送受信区間検知部２６は、監視ライン２４を介して制御部１０が出力する制御信号を監視し、送信部１１を駆動する制御信号が検知される場合は、ＴＤＤ方式部４が送信区間であると判断し、受信部１２を駆動する制御信号が検知される場合は、ＴＤＤ方式部４が受信区間であると判断する。
ＴＤＤ方式部４の受信区間において無線ＬＡＮ部５の送信を禁止するためには、無線ＬＡＮ部５がＴＤＤ方式部４の受信区間を何らかの方法で検出できればよいため、第１の実施の形態や第２の実施の形態のようにアンテナスイッチの制御信号を用いてもよいし、第３の実施の形態のように送信部１１と受信部１２を制御する制御信号を用いてもよい。
【図面の簡単な説明】
【００６１】
【図１】第１の実施の形態に係る無線システムの構成例を示した図である。
【図２】中継装置の構成を示したブロック図である。
【図３】動作タイミングを説明するための図である。
【図４】中継装置の送受信動作を説明するためのフローチャートである。
【図５】第２の実施の形態に係る中継装置の構成を示したブロック図である。
【図６】無線ＬＡＮ部が行う予測処理を説明するための図である。
【図７】無線ＬＡＮ部が行う予測処理を説明するためのフローチャートである。
【図８】第３の実施の形態に係る中継装置の構成を示したブロック図である。
【符号の説明】
【００６２】
１  無線システム
２  基地局
３  中継装置
４  ＴＤＤ方式部
５  無線ＬＡＮ部
６  端末
【図１】
2009033409.tif 000003
【図２】
2009033409.tif 000004
【図３】
2009033409.tif 000005
【図４】
2009033409.tif 000006
【図５】
2009033409.tif 000007
【図６】
2009033409.tif 000008
【図７】
2009033409.tif 000009
【図８】
2009033409.tif 000010